(57)【要約】【課題】気密性及び電線挿入作業の作業性に優れた配線ボックス用気密カバーを提供する。【解決手段】本発明の配線ボックス用気密カバーは、貫通孔１１ａが少なくとも１つ形成された箱状の収容部を有し、収容部の少なくとも外表面に、貫通孔１１ａを封止する封止材３０ａが貼付され、封止材３０ａは、基材層３１と、基材層３１の、前記収容部側に配置された伸縮性粘着剤層と３２を備える。【選択図】図３
2014018032.tif 000002
【特許請求の範囲】
【請求項１】
貫通孔が少なくとも１つ形成された箱状の収容部を有し、該収容部の少なくとも外表面に、前記貫通孔を封止する封止材が貼付され、該封止材は、基材層と、該基材層の、前記収容部側に配置された伸縮性粘着剤層とを備える配線ボックス用気密カバー。
【発明の詳細な説明】
【技術分野】
【０００１】
本発明は、配線ボックスを密封するための配線ボックス用気密カバーに関する。
【背景技術】
【０００２】
近年、冷暖房効率を高めてエネルギー消費量を削減するために、建物の気密性をより高くすることが求められている。そこで、建物の室内に設けられた給電用のコンセントや照明用スイッチから室内に外気が流入することを防ぐことが検討されている。例えば、コンセントやスイッチが収容されたボックスをカバーで覆って、コンセントやスイッチからの外気の流入を防ぐことが知られている（特許文献１，２）。特許文献１，２に記載のカバーでは貫通孔を形成し、その貫通孔を通して、コンセントまたはスイッチに接続される電線をカバー内に挿入する。
【先行技術文献】
【特許文献】
【０００３】
【特許文献１】特開平７−２８８９１３号公報
【特許文献２】特開平８−３０２８３８号公報
【発明の概要】
【発明が解決しようとする課題】
【０００４】
しかしながら、特許文献１，２に記載のカバーにおいても気密性が不充分であり、室内への外気の流入を充分に防げていなかった。また、特許文献２に記載のカバーでは、電線を通すための貫通孔を形成する作業において、鋭利な工具をカバーに突き刺す必要があり、電線の挿入作業の作業性が高いとはいえなかった。
本発明は、気密性及び電線挿入作業の作業性に優れた配線ボックス用気密カバーを提供することを目的とする。
【課題を解決するための手段】
【０００５】
本発明の配線ボックス用気密カバーは、貫通孔が少なくとも１つ形成された箱状の収容部を有し、該収容部の少なくとも外表面に、前記貫通孔を封止する封止材が貼付され、該封止材は、基材層と、該基材層の、前記収容部側に配置された伸縮性粘着剤層とを備える。
【発明の効果】
【０００６】
本発明の配線ボックス用気密カバーは、気密性及び電線挿入作業の作業性に優れる。
【図面の簡単な説明】
【０００７】
【図１】本発明の配線ボックス用気密カバーの一実施形態を示す斜視図である。
【図２】本発明の配線ボックス用気密カバーの一実施形態を示す上面図である。
【図３】図１の配線ボックス用気密カバーを構成する上面部及び封止材を示す断面図である。
【図４】図１の配線ボックス用気密カバーの施工方法の一工程について説明する斜視図である。
【図５】図１の配線ボックス用気密カバーの施工方法の一工程について説明する正面図である。
【図６】図１の配線ボックス用気密カバーの施工方法の一工程について説明する断面図である。
【図７】図１の配線ボックス用気密カバーの施工方法の一工程について説明する正面図である。
【発明を実施するための形態】
【０００８】
本発明の配線ボックス用気密カバー（以下、「気密カバー」と略す。）の一実施形態について説明する。
図１、図２及び図３に、本実施形態の気密カバーを示す。本実施形態の気密カバー１は、収容部１０とフランジ部２０と第１封止材３０ａと第２封止材３０ｂとを有する。
【０００９】
収容部１０は、配線ボックスを収容可能な大きさで、開口部１０ａを有する箱である。本実施形態における収容部１０は、直方体状の箱であり、上面部１１と底面部１２と第１側面部１３と第２側面部１４と裏面部１５とを有している。上面部１１は、裏面部１５の上端部に接続され、底面部１２は、裏面部１５の下端部に接続され、第１側面部１３は、裏面部１５の一方の側部（第１側部）に接続され、第２側面部１４は、裏面部１５の他方の側部（第２側部）に接続されている。これにより、開口部１０ａを有する箱が形成されている。本明細書では、収容部１０の開口部１０ａ側を表面側とし、裏面部１５側を裏面側とする。
本実施形態における収容部１０においては、開口部１０ａの開口面積よりも裏面部１５の面積が小さくなるように、フランジ部２０に対し、上面部１１と底面部１２と第２側面部１４とがやや傾斜している。そのため、収容部１０は、完全な直方体状ではない。なお、第１側面部１３については、気密カバー１を柱に取り付ける際に柱に接するため、フランジ部２０に対して垂直に配置されている。
上面部１１には、配線を収容部１０の外側から内側に通すための貫通孔１１ａが１つ形成されている。本実施形態における貫通孔１１ａは、互いに直径が同一の２つの円がつながるような形状で開口した孔となっている。
なお、本実施形態では、底面部１２と第１側面部１３と第２側面部１４と裏面部１５とに貫通孔は形成されていない。
【００１０】
収容部１０は、熱可塑性樹脂を成形することによって得られる。収容部１０を構成する熱可塑性樹脂としては、例えば、ポリ塩化ビニル、ポリエチレン、ポリプロピレン等が挙げられるが、これらに限定されるものではない。前記熱可塑性樹脂のなかでも、自己消火性を有することから、ポリ塩化ビニルが好ましい。自己消火性を有さない熱可塑性樹脂を用いる場合には、難燃剤を含有させることが好ましい。
また、気密カバー１の施工性が向上することから、収容部１０を構成する熱可塑性樹脂は透明であることが好ましい。
熱可塑性樹脂の成形方法としては、真空成形、射出成形、圧空成形、プレス成形等が適用される。
【００１１】
フランジ部２０は、収容部１０の開口端から、収容部１０の外側に向かって延び出るように形成された部材である。フランジ部２０の、収容部１０の表面側の面は、同一平面となっている。フランジ部２０の、収容部１０の表面側の面には、防湿気密フィルムが貼り付けられる。
フランジ部２０の幅（開口部１０ａとフランジ部２０の端縁までの距離）は３０〜６０ｍｍが好ましく、３０〜４０ｍｍがより好ましい。フランジ部２０の幅が前記下限値以上であれば、防湿気密フィルムの貼り付け面積を充分に確保でき、前記上限値以下であれば、気密カバー１をコンパクトにできる。
フランジ部２０の厚みは０．２〜０．８ｍｍであることが好ましく、０．３〜０．５ｍｍであることがより好ましい。フランジ部２０の厚みが前記上限値を超えると、防湿気密フィルムや内壁材との間に、段差による隙間が生じるおそれがある。
本実施形態におけるフランジ部２０は、収容部１０と一体に形成されており、収容部１０と同一の材質となっている。
【００１２】
第１封止材３０ａ及び第２封止材３０ｂは、各々、基材層３１と伸縮性粘着剤層３２とを備える。本実施形態における第１封止材３０ａ及び第２封止材３０ｂは、各々、貫通孔１１ａよりも大きい楕円形状のシートである。
第１封止材３０ａは、上面部１１の外表面に貫通孔１１ａを覆うように貼着され、第２封止材３０ｂは、上面部１１の内表面に貫通孔１１ａを覆うように貼着されている。第１封止材３０ａの伸縮性粘着剤層３２と第２封止材３０ｂの伸縮性粘着剤層３２とは、貫通孔１１ａにて互いに接着して、第１封止材３０ａと第２封止材３０ｂとは一体状になっている。
【００１３】
基材層３１としては、各種熱可塑性樹脂の樹脂シートを使用することができる。樹脂シートのなかでも、発泡シートが好ましい。発泡シートは伸縮性が高いため、伸縮性粘着剤層３２の変形に容易に追従できる。そのため、後述するように、第１封止材３０ａ及び第２封止材３０ｂに孔を開けて電線を挿入した際の、電線に対する第１封止材３０ａ及び第２封止材３０ｂの密着性がより高くなる。
発泡シートの材質としては、ポリエチレン（高圧法低密度ポリエチレン、直鎖状低密度ポリエチレン、高密度ポリエチレン）、ポリプロピレン（ホモポリプロピレン、ランダムポリプロピレン、ブロックポリプロピレン）、エチレン・αオレフィン共重合体、エチレン・酢酸ビニル共重合体、ポリ塩化ビニル、ポリアミドなどが挙げられる。
発泡シートの発泡倍率は５〜３０倍が好ましく、１０〜２０倍がより好ましい。発泡倍率が前記下限値以上であれば、伸縮性粘着剤層３２の変形に対する追従性がより高くなり、前記上限値以下であれば、発泡シートを容易に製造できる。
【００１４】
基材層３１の厚みは０．１〜１．０μｍであることが好ましく、０．４〜０．６μｍであることがより好ましい。基材層３１の厚みが前記下限値以上であれば、充分な強度を確保でき、前記上限値以下であれば、電線に対する第１封止材３０ａ及び第２封止材３０ｂの密着性がより高くなる。
【００１５】
伸縮性粘着剤層３２を形成する伸縮性粘着剤としては、ゴム系の粘着剤が使用される。ゴム系の粘着剤としては、ブチルゴム、エチレン・プロピレン・共役ジエン共重合体ゴム、イソプレンゴム、クロロプレンゴム、ブタジエンゴム、スチレン・ブタジエン共重合体ゴム、アクリロニトリル・ブタジエン共重合体ゴム、アクリルゴム、シリコーンゴム、天然ゴム等のゴムを粘着主剤として含むものが挙げられる。これらの中でも、粘着性とコストの点から、ブチルゴムを粘着主剤として含むものが好ましい。
【００１６】
伸縮性粘着剤層３２の厚みは０．１〜０．５μｍであることが好ましく、０．１５〜０．３μｍであることがより好ましい。伸縮性粘着剤層３２の厚みが前記下限値以上であれば、充分な接着性を確保でき、前記上限値以下であれば、電線に対する第１封止材３０ａ及び第２封止材３０ｂの密着性がより高くなる。
【００１７】
気密カバー１を建物に施工する際の第１施工例及び第２施工例について説明する。
第２施工例は、気密カバーを柱に取り付けた後に防湿気密フィルムを設置する場合の施工例である。
第１の施工例では、まず、図４に示すように、気密カバー１の収容部１０に配線ボックス２を収容した後、図５に示すように、建物の柱に気密カバー１を、ねじ、釘または接着剤を用いて取り付ける。その際、気密カバー１を、第１側面部の外表面が柱３に接すると共にフランジ部２０の一部が柱３の室内側の面に接するように配置する。気密カバー１の裏側には断熱材４が設置されているが、気密カバー１は断熱材４には固定されない。断熱材４には、気密カバー１を収容するための凹部があらかじめ形成されてもよいし、気密カバー１を柱３に取り付ける直前に、気密カバー１を収容するための凹部が形成されてもよい。
次いで、気密カバー１の第１封止材３０ａ及び第２封止材３０ｂに、電線よりもやや小さな孔を開け、図６に示すように、その孔に電線５を通して、気密カバー１内に挿入し、その挿入した電線５を配線ボックス２に電気的に接続する。
次いで、図７に示すように、室内側から見た際に気密カバー１が隠れると共にフランジ部２０に密着するように防湿気密フィルム６を柱３及び断熱材４の表面に貼り付ける。さらに、配線ボックス２に対応する部分に開口部が形成された石膏ボード等の内壁材を、防湿気密フィルム６に接するように取り付ける。次いで、内壁材の開口部にて露出した防湿気密フィルム６に孔を開けて、配線ボックス２を露出させる。
【００１８】
第２施工例は、気密カバーを柱に取り付ける前にあらかじめ防湿気密フィルムが設置されている場合の施工例である。
第２の施工例では、まず、柱及び断熱材の室内側に設置された防湿気密フィルムの所定の位置に切り込みを入れる。次いで、図４に示すように、気密カバー１の収容部１０に配線ボックス２を収容し、その気密カバー１を防湿気密フィルムの切り込みを通し、図７に示すように、建物の柱３に取り付ける。その際、第１施工例と同様に、気密カバー１を、第１側面部の外表面が柱３に接すると共にフランジ部２０の一部が柱３の室内側の面に接するように配置する。
次いで、気密カバー１の第１封止材３０ａ及び第２封止材３０ｂに、電線よりもやや小さな孔を開け、図６に示すように、その孔に電線５を通して、気密カバー１内に挿入し、その挿入した電線５を配線ボックス２に電気的に接続する。
次いで、配線ボックス２に対応する部分に開口部が形成された内壁材を、防湿気密フィルム６に接するように取り付ける。
【００１９】
気密カバー１に収容される配線ボックスとしては、コンセントが収容されたボックス（コンセントボックス）、スイッチが収容されたボックス（スイッチボックス）、電話線コネクタが収容されたボックス、アンテナ線コネクタが収容されたボックス等が挙げられる。
【００２０】
上記気密カバー１は、建物の柱３に取り付けられた際に配線ボックス２を収容しており、断熱材４の内部を流れる外気が配線ボックス２内に進入することを防ぐことができる。特に、気密カバー１では、貫通孔１１ａを封止する第１封止材３０ａ及び第２封止材３０ｂを構成する伸縮性粘着剤層３２が、孔を開けて電線５を通した際に電線５に密着して隙間の形成を防ぐ。しかも、伸縮性粘着剤層３２は貫通孔１１ａが形成されていることによって生じる上面部１１の段差に容易に追従する。したがって、電線５を気密カバー１の内部に挿入しても充分に高い気密性を得ることができる。
気密カバー１において、電線５を挿入する際の、第１封止材３０ａ及び第２封止材３０ｂに孔を開ける作業は、第１封止材３０ａ及び第２封止材３０ｂがシート状であるため、簡便である。また、第１封止材３０ａ及び第２封止材３０ｂは、各々、基材層３１を備えて伸縮性粘着剤層３２が露出しないようになっているため、孔開け作業の際に作業者の手や工具に伸縮性粘着剤層３２が貼着することが防止されている。したがって、気密カバー１における電線挿入作業は作業性に優れる。
【００２１】
なお、本発明の気密カバーは上記実施形態に限定されない。
例えば、収容部においては、貫通孔は２つ以上形成されてもよい。また、貫通孔は上面部のみに形成されていなくてもよく、上面部に加えて、底面部と第１側面部と第２側面部と裏面部の少なくとも１箇所にも形成されていてもよい。また、貫通孔は、上面部に形成されずに、底面部と第１側面部と第２側面部と裏面部の少なくとも１箇所に形成されてもよい。
また、収容部は、配線ボックスを収容可能な形状であれば、直方体状である必要はなく、具体的には、立方体状、半球形状、あるいはその他の立体形状等であっても構わない。
また、収容部の内表面に貼着された第２封止材は省略されて、収容部の外表面に貼着された第１封止材のみとしても構わない。
また、上記実施形態のように、気密カバーはフランジ部を有することが好ましいが、フランジ部が省略されて構わない。例えば、上面部、底面部、第１側面部及び第２側面部がある程度の厚みを有していると、防湿気密フィルムを貼り付けることが可能になるため、フランジ部を省略できる。
【符号の説明】
【００２２】
１  気密カバー
２  配線ボックス
３  柱
４  断熱材
５  電線
６  防湿気密フィルム
１０  収容部
１０ａ  開口部
１１  上面部
１１ａ  貫通孔
１２  底面部
１３  第１側面部
１４  第２側面部
１５  裏面部
２０  フランジ部
３０ａ  第１封止材
３０ｂ  第２封止材
３１  基材層
３２  伸縮性粘着剤層
【図１】
2014018032.tif 000003
【図２】
2014018032.tif 000004
【図３】
2014018032.tif 000005
【図４】
2014018032.tif 000006
【図５】
2014018032.tif 000007
【図６】
2014018032.tif 000008
【図７】
2014018032.tif 000009